【手続補正書】
【提出日】平成19年4月9日(2007.4.9)
【手続補正１】
【補正対象書類名】特許請求の範囲
【補正対象項目名】全文
【補正方法】変更
【補正の内容】
【特許請求の範囲】
【請求項１】
締付部と変形部が連成した内部にネジ部を設けた雌ネジ体において、前期変形部を、前記締付部に連成した薄肉部と，この薄肉部に連成した厚肉部とから構成し、この厚肉部の外端面を締付面したことを特徴とする雌ネジ体。
【請求項２】
請求項１において、前記薄肉部に、厚肉部を少なくとも部分的に形成したことを特徴とする雌ネジ体。
【請求項３】
締付部と変形部が連成した内部にネジ部を設けた雌ネジ体において、前記変形部の薄肉部に設ける厚肉部は螺旋状に設けたことを特徴とする雌ネジ体。
【請求項４】
締付部と変形部が連成した内部にネジ部を設けた雌ネジ体において、前記変形部に複数個の空間穴を設けて支片を形成して、この支片が変形するようにしたことを特徴とする雌ネジ体。
【請求項５】
請求項４において、前記変形部に設ける空間穴を丸穴としたことを特徴とした雌ネジ体。
【請求項６】
請求項４において、前記変形部に設ける空間穴を長穴としたことを特徴とした雌ネジ体。
【請求項７】
請求項１乃至請求項６において、締付面の外径を前記締付部の対面間の寸法若しくは前記締付部の外形寸法と同等又はそれ以上に大きくしたことを特徴とした雌ネジ体。
【手続補正２】
【補正対象書類名】明細書
【補正対象項目名】全文
【補正方法】変更
【補正の内容】
【発明の詳細な説明】
【発明の名称】雌ネジ体
【技術分野】
【０００１】
この発明は雄ネジ体と雌ネジ体(この発明の雌ネジ体の形状の説明は図では六角形としたが、いろいろな外形の形状も含むものとする)が噛合っているものが振動や衝撃等を受けても締結状態から緩みを生じないはずのねじの緩み止めが、ひとりでに緩みを生じて雄ネジ体から雌ネジ体が抜け出すことを防止するものである。その使用範囲として軽量化を必要とする宇宙航空ロケットや新幹線などを含む電気、機械、建築、関連等の構造物に使用することのできる雌ネジ体に関するものである。
【背景技術】
【０００２】
従来において、雄ネジと雌ネジが噛合って緩み防止手段が取入れられたものはいろいろあるが、その中でも本発明に近い技術として、下記特許文献１から５と非特許文献１などがある。
【０００３】
特許文献１は雌ネジに取付けられた緩み止め防止板が雄ネジに弾性変形しながら付着して締付けられて入ってゆくために、最初から締付に大きなトルクを要しながら締付けるので締付け作業が困難になり、又、充分な緩み防止のストッパーとなる力には至らず緩み側にも容易に回るために強力な緩み防止とはならない、又、構造が複雑になり製造コストが高くなる欠点を有する。
【０００４】
又、特許文献２は締付面と取付部材の間の両者に硬質の部材を食い込ませることによる両者間の移動を規制し回り止めの作用を得るものであるが、食い込む硬質部材を支える部分が柔らかでなければならないので、硬質部材が倒れたりするので両者間に隙間が発生し易く、又、プラスチックやゴム等の軟質座金は経時変化等でボロボロになるのでそれらを含めると緩み止め防止としては欠点を有するものである。
【０００５】
特許文献３と４については雄ネジに取付部材とナット、又は、座金を通した後、その側面をもう一つのナットに突起部を設けた突起部をナット又は座金のネジ穴に押圧することで、突起部が雄ネジに巻き込まれる摩擦力で緩み止め効果を高める狙いを計ったものであるが、このものは突起部の特に外径方向の寸法に対しその中に入るナット又は座金の寸法が適度でないと入らなくなり、取付部材との間に隙間を生じてしまう。
【０００６】
又、ナット又は座金に食い込ませる突起部の外径方向の寸法を大きくするとナット又は座金に食い込みにくくなり、例えば、食い込んでも突起部が厚いと変形しにくくなる。逆に、突起部が薄いと回り防止となる摩擦力が発生しにくくなる欠点を有するものである。
【０００７】
それらの従来の背景技術にはそれぞれの欠点を有し緩み止め防止として充分な効果を発揮する技術とはいえないものであった。
【０００８】
特許文献５は本特許願発明者が既に出願しているもので従来の欠点を解決するために発明したものであるが、この欠点は雌ネジ体にロック棒を使用することで、構造が複雑になって生産性が悪くなる欠点を有している。
【０００９】
【特許文献１】特開昭５９−１３１０１６
【特許文献２】特開平８−１３５６４２
【特許文献３】特開平１１−３１５８２０
【特許文献４】特開２００３−２９４０２１
【特許文献５】特開２００５−２４９０８４
【発明の開示】
【発明が解決しようとする課題】
【００１０】
この発明は雄ネジ体に締結部材を介して締結部材を雌ネジ体で締付けたものが緩むことを防止するものとしての雌ネジ体は実用上及び発明考案はいろいろあるが、それらは緩み止めとして充分なものとは言えず個々の欠点を有している。
【００１１】
例えば、背景技術で説明したように、これまで雌ネジ体の緩み止めは、緩み止めの雌ネジ体が二つ以上の部品の組み合わせとなって構成するために重量を有するようになり、特に航空宇宙向けロケットのようにスピードを有するものは窮極の軽量化を要し振動も受けるものである。
【００１２】
又、スピードの差は異なるが新幹線の車両のように母体が軽量化を必要としながら、更に、振動を受けるものもあり、その他、電気、機械、建築、関連等の構造物においても激しい振動を受けるものは従来において充分な機能を有するものとは言えない欠点があった。
【００１３】
従って、この発明の目的は雄ネジ体に雌ネジ体が嵌め合って、雌ネジ体が一つの部品からなる単体であって締結部材を締付けた後は前記条件に対しても緩みを生じない雌ネジ体を提供することにある。
【課題を解決するための手段】
【００１４】
前記目的の第一の発明は、締付部と変形部が連成した内部にネジ部を設けた雌ネジ体において、前期変形部を、前記締付部に連成した薄肉部と，この薄肉部に連成した厚肉部とから構成し、この厚肉部の外端面を締付面したことを特徴とする雌ネジ体によって達成される。
【００１５】
前記目的の第二の発明は、請求項１において、前記薄肉部に、厚肉部を少なくとも部分的に形成しことを特徴とする雌ネジ体によって達成される。
【００１６】
前記目的の第三の発明は締付部と変形部が連成した内部にネジ部を設けた雌ネジ体において、前記変形部の薄肉部に設ける厚肉部は螺旋状に設けたことを特徴とする雌ネジ体によって達成される。
【００１７】
前記目的の第四の発明は、締付部と変形部が連成した内部にネジ部を設けた雌ネジ体において、前記変形部に複数個の空間穴を設けて支片を形成して、この支片が変形するようにしたことを特徴とする雌ネジ体によって達成される。
【００１８】
前記目的の第五の発明は、請求項４において、前記変形部に設ける空間穴を丸穴としたことを特徴とした雌ネジ体によって達成される。
【００１９】
前記目的の第六の発明は、請求項４において、前記変形部に設ける空間穴を長穴としたことを特徴とした雌ネジ体によって達成される。
【００２０】
前記目的の第七の発明は、請求項１乃至請求項６において、締付面の外径を前記締付部の対面間の寸法若しくは前記締付部の外形寸法と同等又はそれ以上に大きくしたことを特徴とした雌ネジ体によって達成される。
【発明の効果】
【００２１】
この発明は締付部と変形部を連成した内部にネジを設けた雌ネジ体を雄ネジ（雄ネジとは以下雄ネジ体又はボルトのことを云う）に取付部材を介して締付けた際に雄ネジから緩みを生じないようにしたもので、次のような発明の効果がえられるものである。
【００２２】
第一は、変形部に薄肉部を設け、該薄肉部に厚肉部を設けることで、締付部に締付トルクを加えると変形部が圧縮されて、厚肉部の片側の所は片側に、厚肉部が両端の所は両端に、薄肉部のネジ部が変形して雄ネジのネジ山を覆うように圧着することによって雄ネジから雌ネジが緩むことを防止することができるものである。
【００２３】
又、厚肉部が片側（薄肉部の端部に厚肉部が一個所のことを云う）の所は片側に、厚肉部が両端(薄肉部の中に厚肉部があることを云う)の所は両端に、薄肉部のネジ部が変形して薄肉部の部分がねじり力を受けながら圧縮されて変化して薄肉部と厚肉部で雄ネジのネジ山を覆うように圧着することによって雄ネジから雌ネジが緩むことを防止することができるものである。
【００２４】
このように変形部に薄肉部と厚肉部を作ってあると、厚肉部である締付面部で受けた力が薄肉部に伝達されて薄肉部が変形して、薄肉部によって雄ネジのネジ山を覆うように圧着する部分が多くなり雄ネジから雌ネジが緩むことを防止することができるものである。
【００２５】
第二は、変形部に薄肉部を設けてもよいが、ものによっては薄肉部を設けずに変形部を径小にした円筒状にして幾つもの丸穴、又は、長穴を設けたものに、締付部に締付トルクを加えて圧縮荷重を加えると穴と穴との間の支片がネジの締付方向に縮むように変形して雄ネジのネジ山を覆うように圧着する部分が多くなり雄ネジから雌ネジが緩むことを防止することができるものである。
【００２６】
この発明は前記、第一又は第二の作用によって、雌ネジ体の薄肉部や支片が雄ネジのネジ部側に出張り変形しながら雄ネジを覆うように圧着される。
【００２７】
このように雌ネジ体に変形部を設けて、変形部が変形することによって一つの部品で単品からなる雌ネジ体の構造を簡単にして強力な圧着力が得られて、雄ネジから雌ネジは抜け出すことのないネジの強力な緩み止めとなる作用を得ることができるものである。
【００２８】
この強力なネジの圧着力を解放し雌ネジ体を雄ネジから取り出すには、雌ネジ体の材料を弾性変化する材料を使用することも大切であるが雄ネジと雌ネジとが噛合っての隙間は僅かであり、その隙間に対応する変化も小さいので、特に雌ネジ体の材料は選定しなくても再使用できるネジの強力な緩み止めとなる雌ネジ体が得られるものである。
【００２９】
これまでの発明に関連して言えることは一般に現場で現在使用しているものは、ナットで取付部材を締付ける際にナットと取付部材との間に平ワッシャとスプリングワッシャを入れるか、又は、ナット側に平ワッシャの機能を兼ね備えることが行われている。
【００３０】
本発明においては、変形部にバネ作用が生じるので締付面部の外形寸法を締付部の対面間の寸法と同等又はそれ以上に大きくすると、その締付面で締付力を受け止めることができるので、現場で現在使用しているナットとは異なり、バネ作用を生じるので特に該部には平ワッシャやスプリングワッシャ等を使用しなくても優れた機能を有するものである。
【発明を実施するための最良の形態】
【００３１】
この発明は締付部と変形部を連成した内部にネジを設けた雌ネジ体を雄ネジ（雄ネジとは以下雄ネジ体又はボルトのことを云う）に取付部材を介して締付けた際に雄ネジから緩みを生じないようにしたものである。
【００３２】
第一は、変形部に薄肉部を設け、該薄肉部に厚肉部を設けることで、締付部に締付トルクを加えると変形部が圧縮されて、厚肉部の片側の所は片側に、厚肉部が両端の所は両端に、薄肉部のネジ部が変形して雄ネジのネジ山を覆うように圧着することによって雄ネジから雌ネジが緩むことを防止することができるものである。
【００３３】
又、厚肉部が片側（薄肉部の端部に厚肉部が一個所のことを云う）の所は片側に、厚肉部が両端(薄肉部の中に厚肉部があることを云う)の所は両端に、薄肉部のネジ部が変形して薄肉部の部分がねじり力を受けながら圧縮されて変化して薄肉部と厚肉部で雄ネジのネジ山を覆うように圧着することによって雄ネジから雌ネジが緩むことを防止することができるものである。
【００３４】
このように変形部に薄肉部と厚肉部を作ってあると、厚肉部である締付面部で受けた力が薄肉部に伝達されて薄肉部が変形して、薄肉部によって雄ネジのネジ山を覆うように圧着する部分が多くなり雄ネジから雌ネジが緩むことを防止することができるものである。
【００３５】
第二は、変形部に薄肉部を設けてもよいが、ものによっては薄肉部を設けずに変形部を径小にした円筒状にして幾つもの丸穴、又は、長穴を設けたものに、締付部に締付トルクを加えて圧縮荷重を加えると穴と穴との間の支片がネジの締付方向に縮むように変形して雄ネジのネジ山を覆うように圧着する部分が多くなり雄ネジから雌ネジが緩むことを防止することができるものである。
【００３６】
この発明は前記、第一又は第二の作用によって、雌ネジ体の薄肉部や支片が雄ネジのネジ部側に出張り変形しながら雄ネジを覆うように圧着される。
【００３７】
このように雌ネジ体に変形部を設けて、変形部が変形することによって一つの部品で単品からなる雌ネジ体の構造を簡単にして強力な圧着力が得られて、雄ネジから雌ネジは抜け出すことのないネジの強力な緩み止めとなる作用を得ることができるものである。
【００３８】
この強力なネジの圧着力を解放し雌ネジ体を雄ネジから取り出すには、雌ネジ体の材料を弾性変化する材料を使用することも大切であるが雄ネジと雌ネジとが噛合っての隙間は僅かであり、その隙間に対応する変化も小さいので、特に雌ネジ体の材料は選定しなくても再使用できるネジの強力な緩み止めとなる雌ネジ体が得られるものである。
【００３９】
これまでの発明に関連して言えることは一般に現場で現在使用しているものは、ナットで取付部材を締付ける際にナットと取付部材との間に平ワッシャとスプリングワッシャを入れるか、又は、ナット側に平ワッシャの機能を兼ね備えることが行われている。
【００４０】
本発明においては、変形部にバネ作用が生じるので締付面部の外形寸法を締付部の対面間の寸法と同等又はそれ以上に大きくすると、その締付面で締付力を受け止めることができるので、現場で現在使用しているナットとは異なり、バネ作用を生じるので特に該部には平ワッシャやスプリングワッシャ等を使用しなくても優れた機能を有するものである。
【実施例】
【００４１】
本発明を図示に従って説明すると、図１は雌ネジ体１を締付部２と変形部３とで形成して、変形部３を円筒形にして、変形部３には薄肉部４と厚肉部５と側面には締付面部６を設けて、雌ネジ体１の内部にはネジ部７を設けて雌ネジ体１を構成する。
【００４２】
締付面６の外径を締付部２の対面間の寸法若しくは締付部２の外形寸法と同等又はそれ以上に大きくした雌ネジ体にもすることができる。
【００４３】
このように構成した雌ネジ体１を雄ネジに通し取付部材を締付けることにおいて、始めは締付部２をスパナ等で回動すると変形部３の締付面部６が相手部材に圧接し変形部３は圧縮される。
【００４４】
この圧縮によって薄肉部４のネジ部７は変形しながら厚肉部５の片側(薄肉部の端部に厚肉部が一個所のことを云う）の所は片側に、厚肉部５が両端(薄肉部の中に厚肉部があることを云う)の所は両端に、薄肉部４のネジ部が変形して雄ネジのネジ山を覆うように圧着される。
【００４５】
この圧着力が強力であるために、雄ネジから雌ネジは抜けないようなネジの強力な緩み止めとなる作用を得ることができるものである。
【００４６】
この強力なネジの圧着力を解放し雌ネジ体を雄ネジから取り出すには、雌ネジ体１の材料を弾性変化する材料を使用することも大切であるが雄ネジと雌ネジとが噛合っての隙間は僅かであり、その隙間に対応する変化も小さいので、特に雌ネジ体の材料は選定しなくても再使用できるネジの強力な緩み止めとなる雌ネジ体が得られるものである。
【００４７】
図５は本発明の応用実施例その１を示し、この雌ネジ体１０の締付部１２の片側は必要に応じて安全や装飾等を有するものにあっては袋状に密閉したもので、この袋状に密閉したものは他の応用例にも適用できるものであつて、図５は変形部１３の薄肉部１４に設ける厚肉部１５は薄肉部１４に螺旋状に設けたもので、このように設けると変形部１３がコイルバネのような作用で変形を生じるようになるので薄肉部１４の変形部分が大きく変形して、図１と同じようなネジの緩み止め作用によって図１よりもより強力なネジの緩み止めとなるものである。
【００４８】
図１又は図５の雌ネジ体において、締付部と変形部の形状は一体の六角形で連成したものであっても、変形部の厚肉部は六角形の形状のままにして薄肉部を設けて変形部とすることでこの発明の雌ネジ体は成立つものである。
【００４９】
変形部に薄肉部と厚肉部を幾つも作ってあると、締付部を締付けると第１図のＡ寸法の部分がねじり力を受けながら圧縮されて変化して薄肉部と厚肉部で雄ネジのネジ山を覆うように圧着するので、雄ネジから雌ネジが緩むことを防止することができるものである。
【００５０】
図６は本発明の応用実施例その２を示し、雌ネジ体３０の変形部３３の変形を容易にするために変形部３３に薄肉部３４を設けて、その内部に空間丸穴３８をもうけたもので、このようにすると空間丸穴３８と空間丸穴３８との間に有する支片３１を締付部３２で締付けることで変形を容易にするもので、このようにしても支片３１の部分が圧縮されることよって薄肉部３４はネジ部３７の方に出張り変形しながら厚肉部３５の両端で雄ネジを覆うように圧着される。
【００５１】
この圧着力が強力であるために、雄ネジから雌ネジは抜けないようなネジの強力な緩み止めとなる作用を得ることができるものである。
【００５２】
この強力なネジの圧着力を解放し雌ネジ体を雄ネジから取り出すには、雌ネジ体３０の材料を弾性変化する材料を使用することも大切であるが雄ネジと雌ネジとが噛合っての隙間は僅かであり、その隙間に対応する変化も小さいので、特に雌ネジ体の材料は選定しなくても再使用できるネジの強力な緩み止めとなる雌ネジ体が得られるものである。
【００５３】
図８では空間丸穴３８を薄肉部３４の中心に一直線上に設けたが、これは変形部３３を大きく設けて空間丸穴３８は薄肉部３４に一直線上に設けなくとも良く、又、空間丸穴３８は厚肉部３５の方にかかって設けてもこの発明は成り立つものである。
【００５４】
図９は本発明の応用実施例その４を示し、雌ネジ体４０の変形部４４は全て厚肉部４５として支片４１を有して空間長穴４９を設けて、締付面が円筒形であるので支片４１の部分が圧縮されると支片４１はネジの回転方向によじれるようにネジ部４７の方に出張り変形しながら雄ネジに覆うように圧着される。
【００５５】
この圧着力が強力であるために、雄ネジから雌ネジは抜けないようなネジの強力な緩み止めとなる作用を得ることができるものである。
【００５６】
この強力なネジの圧着力を解放し雌ネジ体を雄ネジから取り出すには、雌ネジ体４０の材料を弾性変化する材料を使用することも大切であるが雄ネジと雌ネジとが噛合っての隙間は僅かであり、その隙間に対応する変化も小さいので、特に雌ネジ体の材料は選定しなくても再使用できるネジの強力な緩み止めとなる雌ネジ体が得られるものである。
【００５７】
図９の変形部に設ける長穴は円筒上を切削により区分するように設けるので製作が容易に可能になるものである。
【００５８】
これまでの発明に関連して言えることは一般に現場で現在使用しているものは、ナットで取付部材を締付ける際にナットと取付部材との間に平ワッシャとスプリングワッシャを入れるか、又は、ナット側に平ワッシャの機能を兼ね備えることが行われている。
【００５９】
本発明においては、変形部にバネ作用が生じるので締付面部の外形寸法を締付部の対面間の寸法よりも大きくして、その締付面で締付力を受け止めるようにもできるので、現場で現在使用しているナットとは異なり、バネ作用を生じるので特に該部には平ワッシャやスプリングワッシャ等を使用しなくても優れた機能を有するものである。
【００６０】
これまで述べた発明は雄ネジに取付部材を介してこの発明の雌ネジ体を締付けることによって、この発明は簡単な構成にして強力なネジの緩み止め効果を得たものである。
【図面の簡単な説明】
【００６１】
【図１】本発明の雌ネジ体の正面図。
【図２】図１の雌ネジ体の右側面図。
【図３】図１の雌ネジ体の左側面図。
【図４】図１の雌ネジ体の縦断面図。
【図５】図１の雌ネジ体の応用実施例その１を示す正面図。
【図６】本発明の雌ネジ体の応用実施例その２を示す正面図。
【図７】図６の雌ネジ体の右側面図。
【図８】図６の雌ネジ体の縦断面図。
【図９】本発明の雌ネジ体の応用実施例その３を示す正面図。
【図１０】図９の雌ネジ体の右側面図。
【符号の説明】
【００６２】
１．１０．２０．３０．４０：雌ネジ体
２．１２.３２．４２：締付部
３．１３.３３．４４：変形部
４．１４．３４：連成変形部
５．１５. ３５．４５：厚肉部
６．１６.３６．４６：締付面部
７．１７．３７．４７：ネジ部
３１．４１：支片
３８：空間丸穴
４９：空間長穴
Ａ：寸法
【手続補正３】
【補正対象書類名】図面
【補正対象項目名】図１１
【補正方法】削除
【補正の内容】
【手続補正４】
【補正対象書類名】図面
【補正対象項目名】図１２
【補正方法】削除
【補正の内容】